(57)【特許請求の範囲】
【請求項１】
複数の高層建物のエネルギー貯蔵管を利用して発電するシステムにおいて、エネルギー貯蔵管装置と、エネルギー貯蔵管装置に接続する下水管路装置と、地下の連通導水管と、連通導水管に連通された地下の圧力貯蔵タンクと、圧力貯蔵タンクに接続された水力タービンと発電システムとを含み、各高層建物に１つのエネルギー貯蔵管装置と１つの下水管路装置が配置され、
前記エネルギー貯蔵管装置は、高層建物の高さ方向に沿って配置された下水管路の横に高層建物の側面に高さ方向に前記下水管路に沿って配置され、エネルギー貯蔵管装置は、雨水取水管と、各階の下水をエネルギー貯蔵管に送水するエネルギー貯蔵下水導水管と、高層建物の側面に高さ方向に沿って配置された前記下水管路に沿って配置されたエネルギー貯蔵管と、エネルギー貯蔵管装置の下端近辺に設けられ、下水管網に連通するエネルギー貯蔵下水排水管と、を含み、前記雨水取水管が最上階に設置され、エネルギー貯蔵管に直接連通され、屋根からの雨水を雨水取水管からエネルギー貯蔵管に導入し、前記雨水取水管は下水管路に上向きの開口を有する切り込み口を介して接続され、前記エネルギー貯蔵下水導水管は、５階を含む５階よりも上層階に設置され、一端がバルブを介してエネルギー貯蔵管に接続され、前記エネルギー貯蔵下水導水管は下水管路に上向きの開口を有する切り込み口を介して接続され、エネルギー貯蔵管の水位がバルブより下になるとバルブを開き、水位が徐々に上昇するに従って、バルブは水圧によって閉じられ、この時下水は切り込み口から下水管路に流れ、前記エネルギー貯蔵管内にそれぞれ停止水位Ｈ０、発電水位Ｈ１、最高水位Ｈ２の３つの水位が設定され、液面計によって液面の高さをセンシングし、エネルギー貯蔵管中の水位が発電水位Ｈ１に達すると、水力タービンが発電を開始し、水位が停止水位Ｈ０まで低下したら発電を停止し、水位が最高水位Ｈ２に達すると、過剰な下水が雨水取水管の切り込み口から下水管路に流れ、前記エネルギー貯蔵下水排水管はエネルギー貯蔵管を洗浄する時に下水を下水管網に排出するために用いられ、
前記下水管路装置は、下水管路の上端に接続された予備雨水取水管、各階の下水を下水管路およびエネルギー貯蔵下水導水管に送水する下水導水管、高層建物の側面に高さ方向に沿って配置された下水管路、および下水管路の下部に設けられた下水排水管を含み、前記予備雨水取水管が雨水取水管の上に配置され、予備雨水取水管が下水管路に連通され、屋根に溜まった水が予備雨水取水管の高さを超えた時に、溜まった水が予備雨水取水管から下水管路を介して直接流れ、前記下水導水管は１階から４階まで下水管路に直接接続され、５階以上はそれぞれエネルギー貯蔵管装置中のエネルギー貯蔵下水導水管に接続され、前記下水管路は、下水を下水排水管を介して下水管網に直接排出し、
前記地下の連通導水管は地下に配置され、各高層建物には地下の連通導水管が配置され、各地下の連通導水管は、それぞれの高層建物のエネルギー貯蔵管中の水をエネルギー貯蔵管の下部から地下の圧力貯蔵タンクに導入し、
前記地下の圧力貯蔵タンクは、地下の連通導水管への入口に設けられた複数のエネルギー貯蔵管取水口と、発電システムに連通する１つの排出管と、１つの容器と、を含み、各高層建物のエネルギー貯蔵管はそれぞれ１つのエネルギー貯蔵管取水口に対応して設けられ、エネルギー貯蔵管の水が１つの容器に集められ、排出管が容器中の水を水力タービン及び発電システムに導入するために用いられ、
前記水力タービン及び発電システムは発電取水管、水力タービン、発電機、貯水タンク、貯水タンク排水管を含み、前記発電取水管が地下の圧力貯蔵タンクの排出管に連通され、１つの容器からの下水を水力タービンに導入し、該水力タービンを回転させることにより発電機を作動させ、電力をグリッドに供給したり、高層水道水ブースターポンプに直接供給したりすることができ、前記貯水タンクは貯水装置であり、過剰な貯水を貯水タンク排水管を介して下水管網に排出することを特徴とする複数の高層建物のエネルギー貯蔵管を利用して発電するシステム。
【請求項２】
複数の高層建物の高さが同じ場合に、停止水位Ｈ０を建物の全高の１／３とし、発電水位Ｈ１を屋根の２つ下の階の前記エネルギー貯蔵下水導水管の天端のうち最も低い位置とし、最高水位Ｈ２を建物の全高とし、複数の高層建物の高さが異なる場合に、停止水位Ｈ０を最小の建物高さの高層建物の高さの１／３とし、発電水位Ｈ１を最小の建物高さの高層建物の屋根の２つ下の階の前記エネルギー貯蔵下水導水管の天端のうち最も低い位置とし、最高水位Ｈ２を最小の建物高さの高層建物の建物高さとすることを特徴とする請求項１に記載の複数の高層建物のエネルギー貯蔵管を利用して発電するシステム。
【請求項３】
前記エネルギー貯蔵下水排水管には、下水管網への出口に常閉弁ｋ１が設置され、エネルギー貯蔵管の汚れを落とす洗浄を行う時に開くことを特徴とする請求項１に記載の複数の高層建物のエネルギー貯蔵管を利用して発電するシステム。
【請求項４】
前記地下の連通導水管の夫々には、地下の連通導水管のエネルギー貯蔵管からの入口に常開状態のバルブｋ２が設置され、システムメンテナンスまたは下水を排出する時に閉じることを特徴とする請求項１に記載の複数の高層建物のエネルギー貯蔵管を利用して発電するシステム。
【請求項５】
前記エネルギー貯蔵管の取水口には、連通導水管からの入口に常開状態のバルブｋ３が設置され、汚れを落とす時に閉じることを特徴とする請求項１に記載の複数の高層建物のエネルギー貯蔵管を利用して発電するシステム。
【請求項６】
前記発電取水管と水力タービンとが発電取水管に設けられた常開弁ｋ４をはさんで接続され、常開弁ｋ４がエネルギー貯蔵管の汚れを落とす洗浄を行う時に閉じることを特徴とする請求項１に記載の複数の高層建物のエネルギー貯蔵管を利用して発電するシステム。
【請求項７】
前記地下の圧力貯蔵タンクの容器の容積が１つのエネルギー貯蔵管の容積の５０％であることを特徴とする請求項１に記載の複数の高層建物のエネルギー貯蔵管を利用して発電するシステム。
【請求項８】
前記水力タービン及び発電システムは地上に配置され、排水を都市下水管網に流入することを特徴とする請求項１に記載の複数の高層建物のエネルギー貯蔵管を利用して発電するシステム。
【請求項９】
前記水力タービンは衝動水車を利用することを特徴とする請求項１に記載の複数の高層建物のエネルギー貯蔵管を利用して発電するシステム。
【請求項１０】
前記高層建物は全ての高層建物が１０階以上または全ての高層建物の住宅の高さが２８ｍを超える住宅建物であることを特徴とする請求項１に記載の複数の高層建物のエネルギー貯蔵管を利用して発電するシステム。
【発明の詳細な説明】
【技術分野】
【０００１】
本発明は、複数の高層建物のエネルギー貯蔵管を利用して発電するシステムに関し、エネルギーのリサイクルおよび利用の技術分野に属する。
【背景技術】
【０００２】
中国経済の発展と生活水準の継続的な改善により、家庭下水による環境汚染が益々深刻になっている。現在、中国の家庭下水の排出量がますます増加し、家庭下水の処理とリサイクルは特に重要になる。
【発明の概要】
【発明が解決しようとする課題】
【０００３】
本発明が解決しようとする技術的課題は、従来技術の欠点を克服し、複数の高層建物の下水を複数のエネルギー貯蔵管を介して貯蔵し、下水を集めて発電処理を行い、合理的な水資源の再利用を実現する複数の高層建物のエネルギー貯蔵管を利用して発電するシステムを提供することである。
【課題を解決するための手段】
【０００４】
上記の技術的課題を解決するために、本発明は、複数の高層建物のエネルギー貯蔵管を利用して発電するシステムにおいて、エネルギー貯蔵管装置と、エネルギー貯蔵管装置に適合する下水管路装置と、地下の連通導水管と、地下の圧力貯蔵タンクと、水力タービンと発電システムとを含み、各高層建物に１つのエネルギー貯蔵管装置と１つの下水管路装置が配置され、
前記エネルギー貯蔵管装置は、高層建物の下水管路の横に配置され、エネルギー貯蔵管装置は、雨水取水管と、エネルギー貯蔵下水導水管と、エネルギー貯蔵管と、エネルギー貯蔵下水排水管を含み、前記雨水取水管が最上階に設置され、エネルギー貯蔵管に直接連通され、屋根からの雨水を雨水取水管からエネルギー貯蔵管に導入し、前記雨水取水管は下水管路に上向きの切り込み口が設けられ、前記エネルギー貯蔵下水導水管は、５階から設置され始め、バルブを介してエネルギー貯蔵管に接続され、前記エネルギー貯蔵下水導水管は下水管路に上向きの切り込み口が設けられ、エネルギー貯蔵管の水位がバルブより下になるとバルブを開き、水位が徐々に上昇することに従って、バルブは水圧によって閉じられ、この時下水は切り込み口から下水管路に流れ、前記エネルギー貯蔵管内にそれぞれ停止水位Ｈ０、発電水位Ｈ１、最高水位Ｈ２の３つの水位が設定され、液面計によって液面の高さをセンシングし、エネルギー貯蔵管中の水位が発電水位Ｈ１に達すると、水力タービンが発電を開始し、水位が停止水位Ｈ０まで低下したら発電を停止し、水位が最高水位Ｈ２に達すると、過剰な下水が雨水取水管の上向き切り込み口から下水管路に流れ、前記下水排水管はエネルギー貯蔵管を洗浄する時に下水を下水管網に排出することに用いられ、
前記管路装置は、予備雨水取水管、下水導水管、下水管路、および下水排水管を含み、前記雨水取水管が雨水取水管の上に配置され、予備雨水取水管が下水管路に連通され、溜まった水が予備雨水取水管の高さを超えた時に、溜まった水が予備雨水取水管から下水管路を介して直接に流れ、前記下水導水管が１階から配置され始め、１階から４階まで下水管路に直接接続され、４階以上はそれぞれエネルギー貯蔵管装置中のエネルギー貯蔵下水導水管に接続され、前記管路は、下水を下水排水管を介して下水管網に直接排出し、
前記地下の連通導水管は地下に配置され、各高層建物には地下の連通導水管が配置され、各地下の連通導水管は、それぞれの高層建物のエネルギー貯蔵管中の水を地下の圧力貯蔵タンクに導入し、
前記地下の圧力貯蔵タンクは、複数のエネルギー貯蔵管取水口と１つの排出管を含み、各高層建物のエネルギー貯蔵管は１つのエネルギー貯蔵管取水口に対応し、エネルギー貯蔵管の水が１つの容器に集められ、排出管が容器中の水を水力タービン及び発電システムに導入するために用いられ、
前記水力タービン及び発電システムは発電取水管、水力タービン、発電機、貯水タンク、貯水タンク排水管を含み、前記発電取水管が地下の圧力貯蔵タンクに連通され、下水を水力タービンに導入し、該水力タービンを回転させ発電機を作動させ、電力をグリッドに供給したり、高層水道水ブースターポンプに直接供給したりすることができ、前記貯水タンクは貯水装置であり、過剰な貯水を貯水タンク排水管を介して下水管網に排出する複数の高層建物のエネルギー貯蔵管を利用して発電するシステムを提供する。
【０００５】
複数の高層建物の高さが同じ場合に、停止水位Ｈ０を建物の全高の１／３とし、発電水位Ｈ１を建物の全高の屋根から２番目の階とし、最高水位Ｈ２を建物の全高とし、複数の高層建物の高さが異なる場合に、停止水位Ｈ０を最小の建物高さの１／３とし、発電水位Ｈ１を最小の建物高さの屋根から２番目の階とし、最高水位Ｈ２を最小の建物高さの建物高さとする。
【０００６】
前記エネルギー貯蔵下水排水管に常閉弁ｋ１が設置され、水管の汚れを落とす洗浄を行う時に開く。
【０００７】
前記地下の連通導水管の夫々に常開状態のバルブｋ２が設置され、システムメンテナンスまたは下水を排出する時に閉じる。
【０００８】
前記エネルギー貯蔵管の取水口に常開状態のバルブｋ３が設置され、汚れを落とす時に閉じる。
【０００９】
前記発電取水管と水力タービンとが常開弁ｋ４によって接続され、常開弁ｋ４が水管の汚れを落とす洗浄を行う時に閉じる。
【００１０】
前記地下の圧力貯蔵タンクの容器の容積が１つのエネルギー貯蔵管の容積の５０％である。
【００１１】
前記水力タービン及び発電システムは地上に配置され、地下の場合に、排水を都市下水管網に流入することを確保する必要がある。
【００１２】
前記水力タービンは衝撃水力タービンである。
【００１３】
前記高層建物は１０階以上または住宅の高さが２８ｍを超える住宅建物である。
【発明の効果】
【００１４】
本発明は、以下の有益な効果を有する。
本発明は、複数の高層建物の下水を複数のエネルギー貯蔵管を介して貯蔵し、下水を集めて発電処理を行い、発生した電力をグリッドに供給したり、ブースターポンプに供給したり、エネルギーを大幅に節約し、水資源を合理的に再利用し、環境を改善し、経済的利益、環境的利益、社会的利益をもたらす。
【図面の簡単な説明】
【００１５】
【図１】本発明の複数の高層建物のエネルギー貯蔵管を利用して発電するシステムの構造図である。
【図２】本発明のエネルギー貯蔵管装置のレイアウト図である。
【図３】本発明の下水管路装置のレイアウト図である。
【図４】本発明の地下の圧力貯蔵タンク装置のレイアウト図である。
【図５】本発明の水力タービン及び発電システムのレイアウト図である。
【発明を実施するための形態】
【００１６】
以下、本発明をさらに説明する。以下の実施例は、本発明の技術的解決策をより明確に説明することのみを意図しており、本発明の保護範囲はこれらに限定されない。
【００１７】
図１に示すように、本発明の複数の高層建物のエネルギー貯蔵管を利用して発電するシステムは、複数の高層建物エネルギー貯蔵管装置１、エネルギー貯蔵管装置に適合する下水管路装置２、地下の連通導水管４、地下の圧力貯蔵タンク５、水力タービン及び発電システム６を含む。具体的に、以下のようになる。
【００１８】
図２に示すように、各高層建物に１つのエネルギー貯蔵管装置と１つの下水管路装置が配置され、エネルギー貯蔵管装置１が高層建物の下水管路の横に配置され、エネルギー貯蔵管装置１は、雨水取水管１−１、エネルギー貯蔵下水導水管１−２、エネルギー貯蔵管１−３、エネルギー貯蔵下水排水管１−４を含み、雨水取水管１−１が最上階に設置され、エネルギー貯蔵管１−３に直接連通され、屋根の雨水を雨水取水管を介してエネルギー貯蔵管１−３に導入し、図２では、ａ１が雨水取水管の入口である。雨水取水管１−１は下水管路２−３に１つの上向きの切り込み口を有し、エネルギー貯蔵管１−３の水面高さが最高水位Ｈ２に達すると、水が溢れ出て、該切り込み口から下水管路２−３に流入し、大規模に雨水が落ちた場合、屋根に溜まった水は予備雨水取水管２−１を介して下水管路２−３から直接流下することができ、図２では、ａ２は予備雨水取水管の入口である。エネルギー貯蔵下水導水管１−２は５階から配置され始め、バルブ（ｄ５−ｄ１２）を介してエネルギー貯蔵管１−３に接続され、下水管路に上向きの切り込み口（ｃ５−ｃ１２）が設けられ、エネルギー貯蔵管１−３の水位がバルブより下に位置するとバルブが開き、水位が徐々に上昇するに従って、水圧によりバルブが閉じられ、この時下水が切り込み口から下水管路に流れる。エネルギー貯蔵管１−３内に、それぞれ停止水位Ｈ０、発電水位Ｈ１、最高水位Ｈ２の３つの水位が設定され、液面計によって液面の高さをセンシングし、複数の高層建物の高さが同じ場合、Ｈ０を建物の全高の１／３とし、Ｈ１を建物の全高の屋根から２番目の階とし、Ｈ２を建物の全高とする。複数の高層建物の高さが同じではない場合、Ｈ０を最小の建物高さの１／３とし、Ｈ１を最小の建物高さの屋根から２番目の階とし、Ｈ２を最小の建物高さとする。地下の連通導水管の作用により、各高層建物のエネルギー貯蔵管中の水位が同じであり、エネルギー貯蔵管１−３内の水位が発電水位Ｈ１に達すると、水力タービンが発電を開始し、水位が停止水位Ｈ０まで低下したら発電を停止し、豪雨の時期、水位が最高水位Ｈ２に達する場合に、過剰な下水は雨水取水管１−１の上向き切り込み口から下水管路に流入し、または予備雨水取水管から下水管路に直接流入することができる。エネルギー貯蔵下水排水管１−４は、エネルギー貯蔵管１−３を洗浄する時に下水管網に下水を排出するためのものである。エネルギー貯蔵下水排水管１−４に常閉弁ｋ１が設置され、水管の汚れを落とす洗浄を行う時に開き、図では、ｅ１は、エネルギー貯蔵管の下水管網への出口であり、常時閉状態になり、水管の汚れを落とす洗浄を行う時に開く。
【００１９】
図３に示すように、下水管路装置２は、予備雨水取水管２−１、下水導水管２−２、下水管路２−３、下水排水管２−４を含み、予備雨水取水管２−１は雨水取水管１−１の上に設置され、予備雨水取水管２−１が下水管路２−３に連通され、大規模な雨水の場合に、溜まった水が多くなり予備雨水取水管２−１の高さに達する時、溜まった水が予備雨水取水管から下水管路２−３を介して直接流下する。下水導水管２−２は、１階から配置され始め、１階から４階まで下水管路２−３に直接接続され、４階以上はそれぞれエネルギー貯蔵管装置１中のエネルギー貯蔵下水導水管１−２に接続され、図では、ｂ１−ｂ１２は下水導水管の入口である。下水管路２−３は、下水を下水排水管２−４を介して下水管網に直接排出する。図では、ｅ０は下水管路の出口である。
【００２０】
各高層建物にはエネルギー貯蔵管が配置されるので、複数のエネルギー貯蔵管の水は、地下の連通導水管４を介して連通され得、地下の連通導水管４がセル内の道路交通に影響を与えることなく地下に配置され、各高層建物には地下の連通導水管が配置され、図１中の４−１、４−２、４−３に示すように、それぞれの地下の連通導水管は、それぞれの高層建物のエネルギー貯蔵管中の水を地下の圧力貯蔵タンク５に導入し、地下の圧力貯蔵タンク５と地下の連通導水管のバランスによって複数のエネルギー貯蔵管中の水が連通され、このようにして異なるエネルギー貯蔵管中の水位が互いに調整されてバランスした水位に達することができる。各地下の連通導水管にそれぞれ常開状態のバルブｋ２が配置され、システムメンテナンスまたは下水を排出する時に閉じ、地下の連通導水管は連通器の作用を果し、図では、ｅ２はエネルギー貯蔵管の地下の連通導水管への入口である。
【００２１】
図４に示す地下の圧力貯蔵タンク５は、複数のエネルギー貯蔵管取水口と１つの排出管を有し、各高層建物のエネルギー貯蔵管は、１つのエネルギー貯蔵管取水口に対応し、図３中の５−１、５−２、５−３に示すように、エネルギー貯蔵管取水口にバルブｋ３が設置され、バルブｋ３は、常開状態であり、汚れを落とす時に閉じる。５−４は圧力貯蔵タンク排出管であり、５−５は複数のエネルギー貯蔵管の水が集められた容器であり、該容器の容積が大きすぎてはならず、通常２〜３ｍ３であればよく、エネルギー貯蔵管の容積の５０％になり、複数の高層建物のエネルギー貯蔵管の水位のバランスを取る作用を果す。該容器は、高圧に耐える能力が必要である（例えば建物の高さが１００メートルの場合、１０気圧以上に耐える必要があり、特定の耐高圧マージンを保持する必要もあり、１２気圧にすることが好ましい）。５−６は地下の圧力貯蔵タンクの進入扉であり、常閉状態になり、下水を排出する必要がある時に３つのバルブｋ３を閉じ、貯蔵タンクの進入扉を開き、圧力貯蔵タンクに入って汚れを落とすことができる。
【００２２】
図５に示す水力タービン及び発電システム６は、発電取水管６−１、水力タービン６−２、発電機６−３、貯水タンク６−４、貯水タンク排水管６−５を含み、発電取水管６−１と水力タービン６−２とが常開弁ｋ４を介して接続され、常開弁ｋ４は水管の汚れを落とす洗浄を行う時に閉じる。発電取水管６−１は、地下の圧力貯蔵タンクに連通され、下水を水力タービン６−２に導入し、該水力タービン６−２を回転させ発電機６−３を動作させ、電力をグリッドに供給したり、高層水道水ブースターポンプに直接供給したりすることができる。貯水タンク６−４は、貯水装置であり、過剰な貯水を貯水タンク排水管６−５を介して下水管網に排出し、図では、ｅ３は発電取水管の貯水タンクの入口であり、ｅ４は貯水タンクの排水管の下水管網への出口である。
【００２３】
水力タービン及び発電システムは、地上に配置する必要があり、地下の場合に、排水を都市下水管網に流入させる必要があり、本発明の水力タービン６−２は衝撃水力タービンを採用し発電を行い、発電した電力をグリッドに供給したり、高層水道水ブースターポンプに供給したりすることができる。衝撃水力タービンによって、小流量、高揚力、広い効率ゾーンの特徴を有し、同時に、単一のエネルギー貯蔵管に比べて、水力タービンの流量が増加し、水車発電システムの出力及び安定性が大幅に向上する。
【００２４】
本発明の高層建物は、システムが良好な適用性および経済的価値を有するように、１０階以上または住宅の高さが２８ｍを超える住宅建物であることが好ましい。
【００２５】
以上、上記は本発明の好ましい実施形態に過ぎず、当業者は本発明の技術的原理から逸脱しない限り様々な改良及び変更を加えることができ、これらの改良や変更も本発明の保護範囲に含まれることに留意されたい。
【００２６】
（付記）
（付記１）
複数の高層建物のエネルギー貯蔵管を利用して発電するシステムにおいて、エネルギー貯蔵管装置と、エネルギー貯蔵管装置に適合する下水管路装置と、地下の連通導水管と、地下の圧力貯蔵タンクと、水力タービンと発電システムとを含み、各高層建物に１つのエネルギー貯蔵管装置と１つの下水管路装置が配置され、
前記エネルギー貯蔵管装置は、高層建物の下水管路の横に配置され、エネルギー貯蔵管装置は、雨水取水管と、エネルギー貯蔵下水導水管と、エネルギー貯蔵管と、エネルギー貯蔵下水排水管を含み、前記雨水取水管が最上階に設置され、エネルギー貯蔵管に直接連通され、屋根からの雨水を雨水取水管からエネルギー貯蔵管に導入し、前記雨水取水管は下水管路に上向きの切り込み口が設けられ、前記エネルギー貯蔵下水導水管は、５階から設置され始め、バルブを介してエネルギー貯蔵管に接続され、前記エネルギー貯蔵下水導水管は下水管路に上向きの切り込み口が設けられ、エネルギー貯蔵管の水位がバルブより下になるとバルブを開き、水位が徐々に上昇するに従って、バルブは水圧によって閉じられ、この時下水は切り込み口から下水管路に流れ、前記エネルギー貯蔵管内にそれぞれ停止水位Ｈ０、発電水位Ｈ１、最高水位Ｈ２の３つの水位が設定され、液面計によって液面の高さをセンシングし、エネルギー貯蔵管中の水位が発電水位Ｈ１に達すると、水力タービンが発電を開始し、水位が停止水位Ｈ０まで低下したら発電を停止し、水位が最高水位Ｈ２に達すると、過剰な下水が雨水取水管の上向き切り込み口から下水管路に流れ、前記下水排水管はエネルギー貯蔵管を洗浄する時に下水を下水管網に排出するために用いられ、
前記管路装置は、予備雨水取水管、下水導水管、下水管路、および下水排水管を含み、前記雨水取水管が雨水取水管の上に配置され、予備雨水取水管が下水管路に連通され、溜まった水が予備雨水取水管の高さを超えた時に、溜まった水が予備雨水取水管から下水管路を介して直接流れ、前記下水導水管が１階から配置され始め、１階から４階まで下水管路に直接接続され、４階以上はそれぞれエネルギー貯蔵管装置中のエネルギー貯蔵下水導水管に接続され、前記管路は、下水を下水排水管を介して下水管網に直接排出し、
前記地下の連通導水管は地下に配置され、各高層建物には地下の連通導水管が配置され、各地下の連通導水管は、それぞれの高層建物のエネルギー貯蔵管中の水を地下の圧力貯蔵タンクに導入し、
前記地下の圧力貯蔵タンクは、複数のエネルギー貯蔵管取水口と１つの排出管を含み、各高層建物のエネルギー貯蔵管は１つのエネルギー貯蔵管取水口に対応し、エネルギー貯蔵管の水が１つの容器に集められ、排出管が容器中の水を水力タービン及び発電システムに導入するために用いられ、
前記水力タービン及び発電システムは発電取水管、水力タービン、発電機、貯水タンク、貯水タンク排水管を含み、前記発電取水管が地下の圧力貯蔵タンクに連通され、下水を水力タービンに導入し、該水力タービンを回転させ発電機を作動させ、電力をグリッドに供給したり、高層水道水ブースターポンプに直接供給したりすることができ、前記貯水タンクは貯水装置であり、過剰な貯水を貯水タンク排水管を介して下水管網に排出することを特徴とする複数の高層建物のエネルギー貯蔵管を利用して発電するシステム。
【００２７】
（付記２）
複数の高層建物の高さが同じ場合に、停止水位Ｈ０を建物の全高の１／３とし、発電水位Ｈ１を建物の全高の屋根から２番目の階とし、最高水位Ｈ２を建物の全高とし、複数の高層建物の高さが異なる場合に、停止水位Ｈ０を最小の建物高さの１／３とし、発電水位Ｈ１を最小の建物高さの屋根から２番目の階とし、最高水位Ｈ２を最小の建物高さの建物高さとすることを特徴とする付記１に記載の複数の高層建物のエネルギー貯蔵管を利用して発電するシステム。
【００２８】
（付記３）
前記エネルギー貯蔵下水排水管に常閉弁ｋ１が設置され、水管の汚れを落とす洗浄を行う時に開くことを特徴とする付記１に記載の複数の高層建物のエネルギー貯蔵管を利用して発電するシステム。
【００２９】
（付記４）
前記地下の連通導水管の夫々に常開状態のバルブｋ２が設置され、システムメンテナンスまたは下水を排出する時に閉じることを特徴とする付記１に記載の複数の高層建物のエネルギー貯蔵管を利用して発電するシステム。
【００３０】
（付記５）
前記エネルギー貯蔵管の取水口に常開状態のバルブｋ３が設置され、汚れを落とす時に閉じることを特徴とする付記１に記載の複数の高層建物のエネルギー貯蔵管を利用して発電するシステム。
【００３１】
（付記６）
前記発電取水管と水力タービンとが常開弁ｋ４によって接続され、常開弁ｋ４が水管の汚れを落とす洗浄を行う時に閉じることを特徴とする付記１に記載の複数の高層建物のエネルギー貯蔵管を利用して発電するシステム。
【００３２】
（付記７）
前記地下の圧力貯蔵タンクの容器の容積が１つのエネルギー貯蔵管の容積の５０％であることを特徴とする付記１に記載の複数の高層建物のエネルギー貯蔵管を利用して発電するシステム。
【００３３】
（付記８）
前記水力タービン及び発電システムは地上に配置され、地下の場合に、排水を都市下水管網に流入することを確保する必要があることを特徴とする付記１に記載の複数の高層建物のエネルギー貯蔵管を利用して発電するシステム。
【００３４】
（付記９）
前記水力タービンは衝撃水力タービンであることを特徴とする付記１に記載の複数の高層建物のエネルギー貯蔵管を利用して発電するシステム。
【００３５】
（付記１０）
前記高層建物は１０階以上または住宅の高さが２８ｍを超える住宅建物であることを特徴とする付記１に記載の複数の高層建物のエネルギー貯蔵管を利用して発電するシステム。
【符号の説明】
【００３６】
Ｈ０    エネルギー貯蔵管の停止水位
Ｈ１    エネルギー貯蔵管の発電水位
Ｈ２    エネルギー貯蔵管の最高水位
ａ１    雨水取水管の入口
ａ２    予備雨水取水管の入口
ｂ１、ｂ２、ｂ３、ｂ４、ｂ５、ｂ６、ｂ７、ｂ８、ｂ９、ｂ１０、ｂ１１、ｂ１２    各階の下水導水管入口
ｃ５、ｃ６、ｃ７、ｃ８、ｃ９、ｃ１０、ｃ１１、ｃ１２    エネルギー貯蔵下水導水管の下水管路中の上向きの切り込み口
ｄ５、ｄ６、ｄ７、ｄ８、ｄ９、ｄ１０、ｄ１１、ｄ１２    エネルギー貯蔵下水導水管とエネルギー貯蔵管に接続されるバルブ
ｅ０    下水管路出口
ｅ１    エネルギー貯蔵管の下水管網への出口
ｅ２    エネルギー貯蔵管の地下の連通導水管への入口
ｅ３    発電取水管の貯水タンクへの入口
ｅ４    貯水タンクの排水管の下水管網への出口
ｋ１    常閉弁
ｋ２    常開弁
ｋ３    圧力貯蔵タンクのインレットバルブ、常開弁
ｋ４    発電取水水管バルブ、発電の場合開、発電しない場合閉
【図１】
0006873444.tif 000002
【図２】
0006873444.tif 000003
【図３】
0006873444.tif 000004
【図４】
0006873444.tif 000005
【図５】
0006873444.tif 000006